(57)【要約】【課題】イルミネーション機能付きのパーソナルコンピュータにおけるイルミネーションのオン・オフを選択できるようにしたパーソナルコンピュータ及びそのイルミネーション制御方法を提供する。【解決手段】ノート型パーソナルコンピュータがＤＶＤを再生中か否かを検出し（Ｓ１０１、Ｓ１０２）、ＤＶＤを再生中であれば、ＢＩＯＳを動作（Ｓ１０５）させることにより、イルミネーションライトを消灯する（Ｓ１０６）。これにより、ＤＶＤの再生時に、イルミネーションライトが目障りになり、或いは眩しく感じるようなことがなくなる。【選択図】図４
2008165390.tif 000002
【特許請求の範囲】
【請求項１】
筐体上に設けられたイルミネーションライトと、
所定の映像を表示する表示部と、
装填されたＤＶＤから映像データを取得して前記表示部に前記所定の映像を表示させる制御部を備え、
前記制御部は、前記表示部が前記所定の映像を表示しているとき、前記イルミネーションライトを消灯させることを特徴とすることを特徴とするパーソナルコンピュータ。
【請求項２】
前記制御部は、ＢＩＯＳ（Basic Input/Output System）及びＥＣ（Embedded Controller）を介して前記イルミネーションライトを制御することを特徴とする請求項１に記載のパーソナルコンピュータ。
【請求項３】
前記制御部は、前記表示部が前記所定の映像を表示しているとき、ＣＰＵ冷却用のファンを停止させ或いはその回転数を下げることを特徴とする請求項１に記載のパーソナルコンピュータ。
【請求項４】
前記イルミネーションライトは、前記筐体に設置されたスピーカの近傍に設けられていることを特徴とする請求項１に記載のパーソナルコンピュータ。
【請求項５】
ＤＶＤの装填に基づいて前記ＤＶＤから映像データを取得して所定の映像を表示部に表示させる第１のステップと、
前記表示部が前記所定の映像を表示しているとき、筐体上に設けられているイルミネーションライトを消灯させる第２のステップを有することを特徴とするパーソナルコンピュータのイルミネーション制御方法。
【請求項６】
前記第１のステップは、ＣＰＵ冷却用のファンの停止或いはその回転数を下げるステップを含むことを特徴とする請求項５に記載のパーソナルコンピュータのイルミネーション制御方法。
【請求項７】
前記第２のステップは、常駐アプリケーションにより前記ＤＶＤの再生／非再生状態を監視した結果に基づいて、ＢＩＯＳ（Basic Input/Output System）及びＥＣ（Embedded Controller）により実行されることを特徴とする請求項５に記載のパーソナルコンピュータのイルミネーション制御方法。
【発明の詳細な説明】
【技術分野】
【０００１】
本発明は、イルミネーションライトを備えたパーソナルコンピュータ及びそのイルミネーション制御方法に関する。
【背景技術】
【０００２】
ノート型パーソナルコンピュータ（以下、ノートパソコンという）の中には、特定の国向けの仕様として、例えば、スピーカの近傍にイルミネーションを設けるようにした機種がある（例えば、ＴＯＳＨＩＢＡ「Ｓａｔｅｌｌｉｔｅ  Ｐ１００」）。このような構成により、例えば、音楽に合わせてイルミネーションの明るさや発光色を変化させるなどにより、ムード作りなどが可能になる。
【０００３】
また、最近市販されているパーソナルコンピュータは、多くの機種にＤＶＤの音声や画像の再生及びアプリケーションのインストールが可能なＤＶＤドライブが装着され、ＤＶＤを観賞できるようになっている。
【０００４】
ノートパソコン以外でディスプレイの近傍に発光する部材がある電化製品として、例えば、ＬＣＯＳ（Liquid Crystal On Silicon）、投影型のテレビジョン等があり、投影面の近傍にＬＥＤランプによる複数のパワーインジケータを設けて、その点灯の有無や点滅等によって表示用光源であるランプの寿命等の情報をユーザーに報知できるようにした機種がある。このような機種では、装置が電源オン状態であっても、暗い部屋で画像を見る場合等においては、上記パワーインジケータを消灯したいことがある。
【０００５】
そこで、装置が電源オンにされた一定時間だけパワーインジケータを点灯する、常時オフにする、光源用ランプの異常時にのみ点滅する、特定モード時に点灯する等の制御を行い、通常時にはパワーインジケータを消灯するようにしたシステムが提案されている（例えば、特許文献１参照）。
【特許文献１】特開２００２−３５４３６３号公報
【発明の開示】
【発明が解決しようとする課題】
【０００６】
しかし、従来のイルミネーション機能付きのノートパソコンによると、ＤＶＤアプリケーションを再生（以下、ＤＶＤ再生という）して観賞した場合、ユーザーによってはイルミネーションが目障りになったり、眩しく感じることがあるが、このイルミネーションはＢＩＯＳ（Basic Input/Output System：バイオス）によって制御されているため、ユーザーが消灯することはできない。
【０００７】
この問題を解決するため、上記特許文献１の技術を応用することが考えられるが、パーソナルコンピュータはＢＩＯＳを用いてイルミネーションを制御しているため、ＢＩＯＳを用いる必要がない構成のテレビジョン装置の技術を応用することはできない。
【０００８】
従って、本発明の目的は、イルミネーションライト付きのパーソナルコンピュータにおけるイルミネーションライトをＤＶＤ再生時に消灯できるようにしたパーソナルコンピュータ及びそのイルミネーション制御方法を提供することにある。
【課題を解決するための手段】
【０００９】
（１）本発明は上記目的を達成するため、筐体上に設けられたイルミネーションライトと、所定の映像を表示する表示部と、装填されたＤＶＤから映像データを取得して前記表示部に前記所定の映像を表示させる制御部を備え、前記制御部は、前記表示部が前記所定の映像を表示しているとき、前記イルミネーションライトを消灯させることを特徴とすることを特徴とするパーソナルコンピュータを提供する。
【００１０】
このような構成によれば、ＤＶＤが再生中のとき、イルミネーションライトを消灯させることができる。
【００１１】
（２）また、本発明は上記目的を達成するため、ＤＶＤの装填に基づいて前記ＤＶＤから映像データを取得して所定の映像を表示部に表示させる第１のステップと、前記表示部が前記所定の映像を表示しているとき、筐体上に設けられているイルミネーションライトを消灯させる第２のステップを有することを特徴とするパーソナルコンピュータのイルミネーション制御方法を提供する。
【００１２】
このような方法によれば、ＤＶＤが再生中のとき、イルミネーションライトを消灯させることができる。
【発明の効果】
【００１３】
本発明によれば、イルミネーション機能付きのパーソナルコンピュータにおけるイルミネーションランプをＤＶＤ再生時に消灯できるため、イルミネーションが目障りになったり、眩しく感じるのを解消することができる。
【発明を実施するための最良の形態】
【００１４】
以下に、本発明の実施の形態を、図面を参照して詳細に説明する。
（ノートパソコンの構成）
図１は、本発明の実施の形態に係るパーソナルコンピュータの外観を示す。ここでは、パーソナルコンピュータとしてノートパソコン（ノート型パーソナルコンピュータ）を用いている。このノートパソコン１は、本体部１１と、本体部１１にヒンジ部１２により開閉自在に取り付けられ、内側に液晶表示部１３を備えた可動部（蓋）１４とを主体に構成されている。
【００１５】
本体部１１は、文字入力部（キーボード）１５、マウスとして機能するタッチパッド１６、左スイッチ１７ａ及び左スイッチ１７ｂを備えた決定スイッチ１７、左右一組のスピーカ１８Ａ，１８Ｂ、ＣＤ／ＤＶＤドライブ１９、及びスピーカ１８Ａ，１８Ｂのそれぞれの近傍に設けられたイルミネーションライト２０を備えている。また、本体部１１は、図示しない電源ボタン、ＵＳＢ端子、ＬＡＮ端子、ＰＣカード挿入口、電源コネクタ、イヤホンジャック、マイクジャック等が左右の側面に設けられている。
【００１６】
各イルミネーションライト２０は、例えば、１または複数の青色ＬＥＤランプを光源にしてスピーカ１８Ａ，１８Ｂの近傍を照明する。また、イルミネーションライト２０は、図１ではスピーカ１８Ａ，１８Ｂの一部に沿うように設けているが、このような形状に限定されるものではなく、例えば、スピーカの前面カバーを取り囲むように設けられていてもよいし、上記前面カバーの内側に設けられていてもよい。この場合、前面カバーは、光が外部に漏れる構造、例えば、メッシュ等にする。
【００１７】
（ノートパソコンの回路ブロックの構成）
図２は、ノートパソコン１の回路ブロックを示す。ノートパソコン１は、ＣＰＵ２１を主体に構成されており、ＣＰＵ２１にはバス３７を介してグラフィックス・メモリコントローラハブ２２が接続され、グラフィックス・メモリコントローラハブ２２にはバス３８を介して各種の入出力機器を制御するＩ／Ｏハブ２３が接続され、Ｉ／Ｏハブ２３にはＬＰＣ（Low Pin Count）バス２４を介してＥＣ（Embedded Controller）２５が接続されている。
【００１８】
ＥＣ２５は、ＡＣＰＩ（Advanced Configuration and Power Interface）で独立して各種の制御を実行するコントローラであり、キーボードコントローラ（ＫＢＣ）が兼ねる場合もある。
【００１９】
グラフィックス・メモリコントローラハブ２２には、メモリ２６が接続されると共に、ＡＧＰ（Accelerated Graphics Port）バス２７を介してビデオデータ処理用のＶＧＡ（Video Graphics Array）コントローラ２８が接続されている。ＶＧＡコントローラ２８には、液晶表示部（ＬＣＤ）１３、ＴＶチューナ２９及びＶＲＡＭ（Video Random Access Memory）３０が接続されている。
【００２０】
Ｉ／Ｏハブ２３には、音声信号を処理するサウンドコントローラ３２がＰＣＩ（Peripheral Component Interconnect）バス３１を介して接続されると共に、ＢＩＯＳプログラムが格納されたＢＩＯＳ ＲＯＭ３３、ＨＤＤ（Hard Disc Drive）３４及びＣＤ／ＤＶＤドライブ１９が接続されている。更に、ＥＣ２５には、イルミネーションライト２０、ＣＰＵ２１ａを冷却するための冷却用ファン３５、及び文字入力部１５が接続されている。ここで、ＣＰＵ２１、ＢＩＯＳ ＲＯＭ３４、Ｉ／Ｏハブ２３及びＥＣ２５が、制御部を構成している。
【００２１】
サウンドコントローラ３２には、図示しないオーディオアンプが接続され、このオーディオアンプにスピーカ１８Ａ，１８Ｂが接続されている。
【００２２】
ＢＩＯＳ ＲＯＭ３３は、周辺機器である文字入力部１５、ＣＤ／ＤＶＤドライブ１９、ＴＶチューナ２９、およびフロッピー（登録商標）ディスクドライブ等とＣＰＵ２１との間でデータ交換を行うための基本的なプログラムをフラッシュメモリ等に格納したものであり、ＯＳ（オペレーティングシステム）とアプリケーション間のインターフェースとして機能する半導体メモリである。
【００２３】
ＨＤＤ３４は、ノートパソコン１を動作させるための「Ｗｉｎｄｏｗｓ（登録商標）」プログラム、各種のアプリケーションプログラム等を格納している記憶媒体である。
【００２４】
冷却用ファン３５は、ソケットに装着されたＣＰＵに取り付けられた専用のファンであり、その回転数はＢＩＯＳによってモニタされている。
【００２５】
（イルミネーションライトの表示状態）
図３は、ノートパソコン１の表示状態及びイルミネーションライト２０による照明状態を示す。図３の（ａ）は、ノートパソコン１の電源が入ってＯＳが起動し、「Ｗｉｎｄｏｗｓ（登録商標）」上でアイドルになっている状態である。このとき、イルミネーションライト２０は点灯している。
【００２６】
図３の（ｂ）は、図３の（ａ）の状態において、ユーザーがＤＶＤアプリケーションを起動し、ＤＶＤ画像１３ａが液晶表示部１３に表示された状態を示している。このとき、イルミネーションライト２０は点灯している。
【００２７】
図３の（ｃ）は、図３の（ｂ）の状態において、ＣＰＵ２１によってＤＶＤアプリケーションの起動が検出され、自動的にイルミネーションライト２０が消灯された状態を示している。
【００２８】
図３の（ｄ）は、ＤＶＤ再生が終了し、自動的にイルミネーションライト２０が点灯した状態を示している。
【００２９】
（ノートパソコンの動作）
図４は、ノートパソコン１の処理を示す。図４の処理は、ＣＰＵ２１によって実行される。ノートパソコン１において、「Ｗｉｎｄｏｗｓ（登録商標）」が起動すると、ノートパソコン１は図３の（ａ）に示す状態になる。「Ｗｉｎｄｏｗｓ（登録商標）」が起動した後、常駐アプリケーションである制御用ツールが監視動作を開始する。
【００３０】
制御用ツールは、液晶表示部１３を認識して動作させるためにＨＤＤ３４に格納されている表示ドライバにコマンドを送り、ＤＶＤ再生が実行されたか否かを問い合わせる（Ｓ１０１）。この問い合わせに対し、表示ドライバは、ＤＶＤを再生中か非再生中かの情報を制御用ツールへ送信する。
【００３１】
ＣＰＵ２１は、制御用ツールを介して受信した表示ドライバからの返答を基に、ＤＶＤを再生中か否かを判定する（Ｓ１０２）。ＤＶＤ再生でない場合（Ｓ１０２：Ｎｏ）、制御用ツールはＢＩＯＳアクセス用ドライバを動作させ、このＢＩＯＳアクセス用ドライバによりＢＩＯＳを動作させ（Ｓ１０３）、更にＢＩＯＳによりＥＣ２５を動作させることにより、イルミネーションライト２０を点灯する（Ｓ１０４）。
【００３２】
上記Ｓ１０２において、ＤＶＤ再生中が判定された場合（Ｙｅｓ）、制御用ツールはＢＩＯＳアクセス用ドライバでＢＩＯＳを動作させ、このＢＩＯＳアクセス用ドライバによりＢＩＯＳを動作させ（Ｓ１０５）、更にＢＩＯＳによりＥＣ２５を動作させることにより、イルミネーションライト２０を消灯する（Ｓ１０４）。この制御により、ノートパソコン１は図３（ｂ）から図３の（ｃ）に示す状態になるので、ユーザーは、ＤＶＤの観賞に集中することができる。
【００３３】
更に、制御用ツールは、冷却用ファン３５を停止或いは回転数を下げることが可能か否かを判定する（Ｓ１０７）。ＣＰＵ２１の温度が閾値以下にあり、冷却用ファン３５の停止或いはその回転数を下げることが可能であった場合（Ｓ１０７：Ｙｅｓ）、制御用ツールは、ＢＩＯＳアクセス用ドライバでＢＩＯＳを動作させ、更にＢＩＯＳによってＥＣ２５を動作させることにより冷却用ファン３５を停止或いは回転数を下げる制御を実行する。これにより、ユーザーは冷却用ファン３５が発する騒音からも開放される。なお、冷却用ファン３５を停止或いは回転数を変更後、ＣＰＵ２１の温度が閾値以上になったことが判定されたとき、制御用ツールは冷却用ファン３５の回転を再開させる。
【００３４】
ＤＶＤの観賞が終わり、或いはユーザーが途中でＤＶＤの再生を中止すると、表示ドライバから制御用ツールに再生終了の通知があり、これを受けた制御用ツールはＢＩＯＳアクセス用ドライバを起動し（Ｓ１０３）、更に、ＢＩＯＳによりＥＣ２５を動作させ（Ｓ１０３）、図３の（ｄ）に示すように、イルミネーションライト２０を点灯する（Ｓ１０４）と共に、冷却用ファン３５の停止を解除し、或いは回転数を通常回転数に戻す制御を実行する。
【００３５】
上記Ｓ１０４，Ｓ１０８の処理を終了後、ＣＰＵ２１は、一定時間（例えば、０．５秒）が経過したか否かを判定し（Ｓ１０７）、一定時間が経過していれば、次に電源オフか否かを判定する（１０８）。電源オフでない場合、上記Ｓ１０１へ処理を戻し、以降の処理を繰り返し実行する。
【００３６】
（実施の形態の効果）
上記した本発明の実施の形態によると、ＤＶＤの再生に応じてイルミネーションライト２０が自動的に消灯するので、ユーザーは、イルミネーションライト２０が目障りになったり、眩しく感じることがなくなり、ＤＶＤの観賞に専念することができる。
【００３７】
更に、冷却用ファン３５を停止させ、或いは回転数の変更が可能である場合、イルミネーションライト２０の消灯と共に冷却用ファン３５を停止或いは回転変更ができるので、ＤＶＤ再生中における冷却用ファン３５の騒音を無くすことができる。
【００３８】
なお、上記実施の形態において、冷却用ファン３５を停止させ或いは回転数を変更する制御は、設けない構成にすることもできる。
【００３９】
また、イルミネーションライト２０の消灯は、ＤＶＤの再生以外のモードであってもよい。例えば、ゲームアプリケーションの実行時であってもよい。
【００４０】
また、上記実施の形態においては、イルミネーションライトを備えたノートパソコンについて説明したが、ノートパソコンに限定されるものではなく、デスクトップ型のパーソナルコンピュータに対しても適用可能である。
【００４１】
また、上記実施の形態においては、イルミネーションライト２０をスピーカ１８Ａ，１８Ｂの近傍に設けるものとしたが、イルミネーションライト２０はノートパソコン１の可動部１４、または本体部１１の操作の邪魔にならない場所に設けられていてもよい。
【００４２】
また、ＤＶＤの再生は、本体部１１に実装されたＣＤ／ＤＶＤドライブ１９を用いて行うものとしたが、ＵＳＢインターフェースを介して外付け型のＤＶＤを接続することにより行うこともできる。また、ＤＶＤに限らず映像データを有するメディア、およびノートパソコン１内のＨＤＤ３４に格納された映像を再生する際にも本発明を実施することで同様の効果を得ることができる。
【００４３】
また、液晶表示部１２に代えて、軽量及び薄型で、所定の表示サイズが確保されるディスプレイ、例えば、プラズマ方式のディスプレイを用いることもできる。
【図面の簡単な説明】
【００４４】
【図１】本発明の実施の形態に係るパーソナルコンピュータ（ノートパソコン）の外観を示す斜視図である。
【図２】ノートパソコンの回路構成を示すブロック図である。
【図３】ノートパソコンの表示状態及びイルミネーションライトによる照明状態を示す図である。
【図４】ノートパソコンの処理を示すフローチャートである。
【符号の説明】
【００４５】
１…ノートパソコン、１１…本体部、１２…ヒンジ部、１３…液晶表示部、１３ａ…ＤＶＤ画像、１４…可動部、１５…文字入力部、１６…タッチパッド、１７…決定スイッチ、１７ａ…左スイッチ、１７ｂ…右スイッチ、１８Ａ，１８Ｂ…スピーカ、１９…ＣＤ／ＤＶＤドライブ、２０…イルミネーションライト、２１…ＣＰＵ、２２…グラフィックス・メモリコントローラハブ、２３…Ｉ／Ｏハブ、２４…ＬＰＣバス、２５…ＥＣ（Embedded…Controller）、２６…メモリ、２７…ＡＧＰバス、２８…ＶＧＡコントローラ、２９…ＴＶチューナ、３０…ＶＲＡＭ、３１…ＰＣＩバス、３２…サウンドコントローラ、３３…ＢＩＯＳ…ＲＯＭ、３４…ＨＤＤ、３５…冷却用ファン、３６，３７…バス
【図１】
2008165390.tif 000003
【図２】
2008165390.tif 000004
【図３】
2008165390.tif 000005
【図４】
2008165390.tif 000006